(57)【要約】【課題】コイン装置のコイン返却口の形状を変えることなく、子供等が手を入れても安全な硬貨返却口の構造を提供することにある。【解決手段】コイン返却装置のコイン返却口内上方に上端部を回動自在に軸支して前記コイン返却口の外からの押力により、前記コイン返却口の内方へ回動する開閉扉を有するコイン動作式装置において、前記開閉扉１０の上方部１２を硬質とし、下方部１３を軟質としたコイン返却装置としてある。【選択図】図３
2007206905.tif 000002
【特許請求の範囲】
【請求項１】
コイン返却装置のコイン返却口内上方に上端部を回動自在に水平に軸支して前記コイン返却口の外からの押力により、前記コイン返却口の内方へ回動する開閉扉を有するコイン動作式装置において、
前記開閉扉の上方部を硬質とし、下方部を軟質とした、
ことを特徴とするコイン返却装置。
【請求項２】
コイン返却装置のコイン返却口内上方に上端部を回動自在に軸支して前記コイン返却口の外からの押力により、前記コイン返却口の内方へ回動する開閉扉を有するコイン動作式装置において、
前記開閉扉の上方部を硬質樹脂素材とし、と下方部を軟質樹脂素材として、一体形成した、
ことを特徴とするコイン返却装置。
【請求項３】
コイン動作式装置の筐体に露出されて略垂直に設けた略方形のコイン返却口と、
前記コイン返却口の内部上部に設けた回動軸と、
前記コイン返却口に連接して設けた保留箱と、
前記回動軸に回動自在に取り付けられ前記保留箱内で前記コイン返却口を内部から塞ぐ開閉扉と、
を有するコイン返却装置において、
前記開閉扉の上方部を硬質樹脂素材とし、情報部の上辺に回動軸を貫通する管部を設け、
前記開閉扉の下方部を軟質樹脂素材とし、前記上方部と一体成形により形成した開閉扉とした、
ことを特徴とするコイン返却装置。
【請求項４】
請求項１又は３のいずれか１項において、前記開閉扉の上方部と下方部の接合部分において、互いに厚みを略半分にして、一方側にはピン部を横列して設け、他方側には前記ピン部が嵌合する穴部を対応して設け、前記ピン部と前記穴部を嵌合して一体形成した開閉扉とした、
ことを特徴とするコイン返却装置。
【請求項５】
請求項１又は３のいずれか１項において、前記開閉扉の上方部と下方部の接合部分において、一方側は断面Ｖ字状に先細部を形成し、他方は前記断面Ｖ字を受入れる断面Ｖ字溝を形成して、お互いに嵌入して一体成形した開閉扉とした、
ことを特徴とするコイン返却装置。
【請求項６】
コイン返却装置のコイン返却口内上方に上端部を回動自在に軸支して前記コイン返却口の外からの押力により、前記コイン返却口の内方へ回動する開閉扉を有するコイン動作式装置において、
前記開閉扉の上方部の断面の厚みより、下方部の断面の厚みが薄いこと、
を特徴とするコイン返却装置。
【請求項７】
コイン返却装置のコイン返却口内上方に上端部を回動自在に水平に軸支して前記コイン返却口の外からの押力により、前記コイン返却口の内方へ回動する開閉扉を有するコイン動作式装置において、
前記開閉扉の下端には下方に丸みを有する下端部を設け、該開閉扉の高さ方向の略半分位置から肉薄な板状部材により該下端部を連接する硬質樹脂体と、
前記開閉扉の高さ方向の略半分位置から下端部の間には、前記開閉扉の上方の厚み、幅に沿って前記板状部材を弾性樹脂体で覆った、
ことを特徴とするコイン返却装置。
【請求項８】
請求項１乃至８のいずれか１項記載のコイン返却装置を有することを特徴とする貨幣動作式機器。
【発明の詳細な説明】
【技術分野】
【０００１】
本発明は、硬貨やメダル等を投入することで動作するコイン動作式装置の硬貨選別装置設けるコイン返却口の改良に関する。
【背景技術】
【０００２】
従来、ゲーム機等に取り付けられるコインドアのサービス扉へのドロップタイプの硬貨選別装置としては、ほぼ直立するベースプレートの上部に縦長矩形の硬貨口が形成され、下部には硬貨の返却口が形成されている。返却口の後側には、保留箱が固定され、返却された硬貨がランダムに横たわることができる。返却口は、上部が保留箱内にビポット可能に指示された蓋によってカバーされ、蓋を押し込むことにより、返却硬貨を保留箱から取り出すことができる（例えば特許文献１参照）。
【０００３】
また硬貨返却口にスポンジ等の異物が挿入されるのを防止するため、硬貨返却口に回動自在に軸支された開閉板と前記硬貨返却口の前記開閉板と反対側の壁面から硬貨返却経路へ下り勾配に傾斜して突出した第１の突出片を備えて異物の進入を防止する硬貨返却口において、前記第１の突出片と対向する前記開閉板の面に、硬貨返却経路へ下り勾配に傾斜して突出した第２の突出片を備え、前記開閉板の回動位置において前記第１の突出片と前記第２の突出片が当接して前記硬貨返却経路を閉鎖するように構成した硬貨返却口の異物挿入防止構造がある（例えば特許文献２参照。）。
【０００４】
【特許文献１】特開２００５-２５４０４号公報（第４頁、図１）
【特許文献２】特許第３４７２６３４号公報（第２頁、図２）
【発明の開示】
【発明が解決しようとする課題】
【０００５】
上述した硬貨返却口の蓋や開閉板は金属板や硬質樹脂板で出来ており、いずれも上部が水平に軸支されており、手先を後方に押し込んで内部の硬貨を取り出す構造となっている。大人の手ではさほど問題はないが、子供の手では手を硬貨取出口から抜く際に蓋や開閉板の下辺と硬貨取口の下縁との間に指を挟んでしまう危険があった。例えば乳幼児等の柔らかい指が挟まれた場合は、非常に危険である。
そこで本願では、こうした問題を解決すべくコイン返却口の形状を変えることなく、子供等が手を入れても安全な硬貨返却口の構造を提供することにある。
【課題を解決するための手段】
【０００６】
本願発明では、上記課題を解決するために、コイン返却装置のコイン返却口内上方に上端部を回動自在に軸支して前記コイン返却口の外からの押力により、前記コイン返却口の内方へ回動する開閉扉を有するコイン動作式装置において、前記開閉扉の上方部を硬質とし、下方部を軟質としたコイン返却装置としてある。
【０００７】
上記発明により、コイン返却口に手を入れて開閉扉を押し込んだ際に、開閉扉の下縁とコイン返却口の下縁との間に指が挟まれても、開閉扉の下方部が軟質であるので、変形して挟まれた指を怪我させることがない。
【０００８】
本願発明では、上記課題を解決するために、コイン返却装置のコイン返却口内上方に上端部を回動自在に軸支して前記コイン返却口の外からの押力により、前記コイン返却口の内方へ回動する開閉扉を有するコイン動作式装置において、前記開閉扉の上方部を硬質樹脂素材とし、と下方部を軟質樹脂素材として、一体形成したコイン返却装置としてある。
【０００９】
上記発明により、コイン返却口に手を入れて開閉扉を押し込んだ際に、開閉扉の下縁とコイン返却口の下縁との間に指が挟まれても、開閉扉の下方部が軟質樹脂であるので、下方部が容易に変形して挟まれた指を怪我させることがない。
【００１０】
本願発明では、上記課題を解決するために、コイン動作式装置の筐体に露出されて略垂直に設けた略方形のコイン返却口と、前記コイン返却口の内部上部に設けた回動軸と、前記コイン返却口に連接して設けた保留箱と、前記回動軸に回動自在に取り付けられ前記保留箱内で前記コイン返却口を内部から塞ぐ開閉扉と、を有するコイン返却装置において、前記開閉扉の上方部を硬質樹脂素材とし、情報部の上辺に回動軸を貫通する管部を設け、前記開閉扉の下方部を軟質樹脂素材とし、前記上方部と一体成形により形成した開閉扉としたコイン返却装置としてある。
【００１１】
上記発明により、コイン返却口に手を入れて開閉扉を押し込んだ際に、開閉扉の上方と下方部とが硬質樹脂及び軟質樹脂素材で一体成形されており、下縁とコイン返却口の下縁との間に指が挟まれても、開閉扉の下方部が軟質樹脂であるので、下方部が容易に変形して挟まれた指を怪我させることがない。
【００１２】
さらに本願発明では、上記課題を解決するために、上記発明のいずれかにおいて、前記開閉扉の上方部と下方部の接合部分において、互いに厚みを略半分にして、一方側にはピン部を横列して設け、他方側には前記ピン部が嵌合する穴部を対応して設け、前記ピン部と前記穴部を嵌合して一体形成した開閉扉としたコイン返却装置としてある。
【００１３】
上記発明により、コイン返却口に手を入れて開閉扉を押し込んだ際に、開閉扉の上方と下方部とが硬質樹脂及び軟質樹脂素材で一体成形されており、しかも接合部分がピンと穴が横設されており、ピンと穴を嵌合させているので上方部と下方部が頑強に接合されており、容易に分離することがない。
【００１４】
さらに本願発明では、上記課題を解決するために、さらに上記発明において、前記開閉扉の上方部と下方部の接合部分において、一方側は断面Ｖ字状に先細部を形成し、他方は前記断面Ｖ字を受入れる断面Ｖ字溝を形成して、お互いに嵌入して一体成形した開閉扉としたコイン返却装置としてある。
【００１５】
上記発明により、コイン返却口に手を入れて開閉扉を押し込んだ際に、開閉扉の上方と下方部とが硬質樹脂及び軟質樹脂素材で一体成形されたおり、しかも接合部分の硬質樹脂が下方になるに従い薄くなり、その分、軟質樹脂が厚みを増して一体成形しており、開閉扉の下縁とコイン返却口の下縁との間に指が挟まれても、開閉扉の接合部から下方が容易に変形して挟まれた指を怪我させることがない。
【００１６】
尚、さらに本願発明では、上記課題を解決するために、コイン返却装置のコイン返却口内上方に上端部を回動自在に軸支して前記コイン返却口の外からの押力により、前記コイン返却口の内方へ回動する開閉扉を有するコイン動作式装置において、前記開閉扉の上方部の断面の厚みより、下方部の断面の厚みが薄い、コイン返却装置としてある。
【００１７】
上記発明により、コイン返却口に手を入れて開閉扉を押し込んだ際に、開閉扉の上方と下方部とが厚みが異なり、下方部は硬質樹脂といえども、厚みが薄くなっており、コイン返却口の下縁と開閉扉との間に指を挟んでも、開閉扉の下方部は容易に変形することにより、挟んだ指に怪我をさせるにいたる前に変形する。
【００１８】
尚、さらに本願発明では、上記課題を解決するために、コイン返却装置のコイン返却口内上方に上端部を回動自在に水平に軸支して前記コイン返却口の外からの押力により、前記コイン返却口の内方へ回動する開閉扉を有するコイン動作式装置において、前記開閉扉の下端には下方に丸みを有する下端部を設け、該開閉扉の高さ方向の略半分位置から肉薄な板状部材により該下端部を連接する硬質樹脂体と、
前記開閉扉の高さ方向の略半分位置から下端部の間には、前記開閉扉の上方の厚み、幅に沿って前記板状部材を弾性樹脂体で覆ったコイン返却装置としてある。
【００１９】
上記発明により、開閉扉の下端部には下方に丸みを有する下端軸が設けてあり、しかも開閉扉の下方部分の材質は弾性樹脂としてあるので、コイン返却口の下縁との開閉扉の下端との間に指を挟んでも、開閉扉の下方部は弾性樹脂が主体であるので、容易に変形するとともに、開閉扉を押し込んでも保留部箱内に開閉扉が引っかかることがなく、元の位置に戻るのである。
【００２０】
さらに尚、本願発明では、上記課題を解決するべく、上述してきた各発明を適用したコイン返却装置を有する貨幣動作式機器としてある。
上記発明により、硬貨等の貨幣動作式機器でも安全にコインの返却装置が得られるのである。
【発明の効果】
【００２１】
本願発明のコイン返却装置では、子供が手をコイン取出口の開閉扉の下辺とコイン取出口の下縁との間に指を挟んでしまう危険を回避することができる。特に乳幼児等の柔らかい指でも、開閉扉の下方部が変形することで、指が挟まれても安全に抜くことができる。
しかも、コストアップを最小限とすることができ、利用価値が高く安全性に富むコイン返却口を提供することができる。
【発明を実施するための最良の形態】
【００２２】
本発明の実施例を図面に基づき詳細に説明する。以下、本願発明を、3つの実施例について述べる。
【実施例１】
【００２３】
以下、本発明の実施の形態を図面に基づいて説明する。図１は貨幣装置の一例としてコイン装置の斜視図を示す。
コイン装置１は例えば自動販売機、業務用ゲーム機や駐車料金清算機等のコイン動作式業務用機器、最近では磁気カードや電子マネーカード、あるいは携帯電話に決済機能を有して無線通信で動作する方式も併用されている機器等の前面の扉に面して設けられている。貨幣動作式機器の前面のほぼ直立した扉には紙幣や硬貨等を扱う貨幣装置が設けてある。
このなかで、コイン装置１は、略直立した縦長の取付板２の上方に設けたコイン投入口３が設けられ、投入した硬貨が詰まった際に操作する返却操作部４を中ほどに有している。
【００２４】
コイン投入口３の裏側にはコイン投入口３から投入された硬貨をコイン導入路５を経て、コインセレクタ６に導き、投入された硬貨等の真贋をコインセレクタ６で判定し、正規硬貨は正規経路６ａを通じてコインスイッチ７にて課金情報を発し、コインセレクタ６ではじかれた不良硬貨等の返却硬貨は、返却経路６ｂを通じて、取付板２の下方に設けたコイン返却口８に返却する構造を有している。
コイン返却口８には、コインセレクタ６からはじかれた不良硬貨等の返却硬貨がコインセレクタ６の内部ではじかれて返却経路６ｂを通じてコイン返却口８の上部から落下してくる構造になっている。
【００２５】
図２はコイン返却口の概略図を示す。図２（Ａ）はコイン返却口の正面図であり、図２（Ｂ）は同縦断面図を示している。
コイン返却口８は、取付板２の下方に方形開口８ａを有し、方形開口８ａの奥側は鉄板製あるいは硬質樹脂製で該方形開口８ａより一回りほど大きい幅を有し天井が開放された箱状の保留箱９となっている。保留箱９は方形開口８ａと連通し、保留箱９の底面９ａは方形開口８ａの下縁より若干下がっており、返却された硬貨Ｃが返却経路６ｂを通じて保留箱９の上部にから保留箱９内に落下して底面９ａにランダムに横たわることができる。
【００２６】
方形開口８ａの裏側上部の左右両端に設けた水平軸受８ｂに回動可能に水平軸８ｃが軸支された開閉扉１０が取り付けられている。この開閉扉１０は、略方形で方形開口８ａから外側に飛び出さないように少なくとも縦または横の幅が方形開口８ａの幅より大きくなっている。開閉扉１０の縦横の幅は略36ｍｍ程である。勿論縦横の幅とも方形開口の幅より大きくてもよい。
従って、開閉扉１０の上端に水平に設けた水平軸が方形開口８ａの裏側上部左右端の水平軸８ｃにより軸支されており、開閉扉１０の自重により下に垂れ下がっており、方形開口８ａを裏側から塞いでいる。
開閉扉１０は、最低限、方形開口８ａの左右あるいは下縁のいずれか１つの縁に当接する構造であれば、方形開口８ａから外方に飛び出すことはない。
【００２７】
これにより、コインセレクタ６にてはじかれた不良硬貨等は、返却経路６ｂを経て保留箱９内に落下してくる。この際に保留箱の底面９ａで跳ね返っても保留箱９の高さｈを越えて天井の開放面から飛び出すことはない。さらに方形開口８ａの裏側には開閉扉１０が吊り下がっているので、返却経路６ｂを経て保留箱９内に落下して来た硬貨が跳ね返って方形開口８ａから飛び出すこともない。
このように返却経路６ｂを経て保留箱９内に落下してきた硬貨Ｃは、落下の衝撃で跳ね返っても保留箱９から飛び出ることなく、保留箱の底面９ａ内にランダムに横たわることになる。
【００２８】
貨幣作動式機器に設けたコイン投入口３に硬貨を投入した投入者は、予定通り、硬貨が正規の硬貨と認識されればよいが、硬貨が何らかの原因で規定に合わず、例えば歪み等が生じていてコインセレクタで不良硬貨としてはじかれた場合には、図示しない受入金額表示が変化せずに、コイン返却口８に返却される。コイン返却口８に硬貨Ｃが返却された場合には、硬貨の落下時の衝突音が発するので、投入者は硬貨の返却に気付く。
あるいは、投入した硬貨に何らかの歪みがあった場合はコインセレクタ６内で詰まる場合があり、その場合は図示しない受入金額表示が変化しないし、さらにはコイン返却口８にも硬貨が返却されて来ないので、コイン返却操作部４を操作することにより、コインセレクタ６を開放して、途中で詰まっていた硬貨Ｃを返却経路６ｂに導き、保留箱９に落下させる。
【００２９】
図３には実施例１の開閉扉の図面を示す。図３（Ａ）は成形段階の断面図であり、図３（Ｂ）は正面図であり、図３（Ｃ）は使用時の変形を示す断面図である。
【００３０】
開閉扉10はコイン返却口の方形開口８ａを塞ぐために方形板状になっており、上辺には方形開口８ａの裏側上部に位置する鋼線等の素材による水平軸８ｃを貫通させるべく管部１１が設けられている。開閉扉１０の上辺から６分目ほどの水平線Ｌから下方は素材が異なり、上方部１２はポリエチレン製の硬質樹脂であり、下方部１３は硬度３０度のエラストマー製の軟質樹脂を用いている。
上方の硬質樹脂の下辺は下辺に平行な幅で厚みtが半分になった接合面１２ａを有しており、厚みが減った側の接合面１２ａには複数のピン１２ｂが元の厚みtの部分の高さ位置まで横設されている。  
【００３１】
軟質樹脂の下方部１３の上辺は前記硬質樹脂の接合面１２ａに対応して平行な幅で厚みtが半分になった接合面１３ａを有しており、前記ピン１２ｂに対応する位置にはピン１２ｂが嵌入される複数の穴１３ｂが横設されている。
上方部１２のピン１２ｂと下方部１３の穴１３ｂとを合わせて、溶解接合による一体成形とすることにより、接合面１２ａと接合面１３ａとは接合される。さらにピン１２ｂと穴１３ｂとが嵌合することでより強固な接合となる。上記の成形にあたり、インサート成形が用いられる。
【００３２】
これにより図３（Ｃ）に示す如く、開閉扉の開閉動作時に方形開口の奥側に手で押し込んで、手を
を抜く際に、万一、方形開口８ａの下縁と開閉扉の下辺との間に指を挟んでも下方部１３が軟質樹脂製であるので、前後に変形することができ、指を挟むことなく怪我することなく抜き去ることができる。
この際に開閉扉１０を押し込み過ぎて保留箱の背面に下方部が当接し変形して手を抜いても元に戻らなくならないように、開閉扉１０の押し込み過ぎを防止する図示しないストッパーが保留箱内に設けてあり、開閉扉１０を押し込んだ際に上方部１２が当接するようにしてある。
勿論、上方部のピンと下方部の穴の関係は逆でもよく、上方部に穴を有し、下方部側にピンを有する構造とてもよい。勿論、上方部の先細部と下方部の接合溝の関係は逆でもよく、上方部に接合溝を有し、下方部側に先細溝を有する構造とてもよい。
【実施例２】
【００３３】
図４には、実施例２の開閉扉の図面を示す。図４（Ａ）は成形段階の断面図であり、図４（Ｂ）は正面図であり、図４（Ｃ）は使用時の変形を示す断面図である。
開閉扉２0は実施例１と大きさは同じであり、用いる素材も同じであるが、形状が異なる。開閉扉２０の上辺には水平軸８ｃを貫通させる管部２１を設けている。開口扉２０の上方部２２はポリエチレン製の硬質樹脂製で形成され、上辺から６分目ほどの水平線Lから下方にかけて断面Ｖ字状に先細に形成した先細部２２ａとなっており、図４（Ａ）の断面図に示す通り断面の両面側に傾斜を設けた先細形状としてある。
【００３４】
そして下方部２３は上方部２２の先細形状の先細部２２ａの形状に対応して断面内部がＶ字状の接合溝２３ａを有し、厚みが上方部２２の厚みと略同一のエラストマー製の軟質樹脂である。
この上方部２２の先細部２２ａを下方部２３のＶ字状の接合溝２３ａにあてがい溶解接合するインサート成形で接合され、一体成形された開閉扉２０となる
これにより、開閉扉２０の下方部は硬質樹脂製の先細部２２ａが除々に柔らかく変化することにより、変化が下方に行くほど曲がることができる。
【００３５】
これにより図４（Ｃ）に示す如く、開閉扉の開閉動作時に方形開口の奥側に手で押し込んで、手を
を抜く際に、万一、方形開口８ａの下縁と開閉扉の下辺との間に指を挟んでも下方部２３が軟質樹脂製であり、硬質樹脂製の上方部の厚みが除々に先細になっているので、下方に行くほど前後に変形することができ、指を挟むことなく怪我することなく抜き去ることができる。
この際に開閉扉２０を押し込み過ぎて保留箱の背面に下方部が当接し変形して手を抜いても元に戻らなくならないように、開閉扉２０の押し込み過ぎを防止する図示しないストッパーが保留箱内に設けてあり、開閉扉２０を押し込んだ際に上方部２２が当接する。
勿論、上方部の先細部と下方部の接合溝の関係は逆でもよく、上方部に接合溝を有し、下方部側に先細溝を有する構造とてもよい。
【実施例３】
【００３６】
図５には、実施例３の開閉扉の図面を示す。図５（Ａ）は側面図であり、図５（Ｂ）は正面図である。
開閉扉３０は、上記実施例１又は２と同じであり、用いる素材はポリエチレン等の硬質樹脂の一種類である。
【００３７】
開閉扉３０は、コイン返却口の方形開口を塞ぐために方形板状になっており、上辺には鋼線等の素材による水平軸８ｃを貫通させる管部３１を設けている。開口扉３０は、上辺から下方にかけて６分目ほどの水平線Ｌまでは厚みｔがあり、容易には変形しない上方部３２となっており、水平線Ｌから下方は、図５（Ａ）に示す如く開閉扉の厚みが薄く、あるいは除々に先細に成形された下方部３３となっている。下方部３３の下端はある程度の厚みがあり下縁３３ａは丸みを有している。
【００３８】
これにより、開閉扉３０の開閉動作時に方形開口の奥側に手で押し込んで、手を抜く際に、万一、方形開口８ａの下縁と開閉扉３０の下辺との間に指を挟んでも下方部３３の厚みが薄くなっているので、素材が硬質樹脂であっても下方部３３は前後に変形することができ、下方部の下縁３３ａが丸みを有しており、指を挟み怪我することなく抜き去ることができる。
この際に開閉扉３０を押し込み過ぎて保留箱の背面に下方部が当接し変形して手を抜いても元に戻らなくならないように、開閉扉３０の押し込み過ぎを防止する図示しないストッパーが保留箱内に設けてあり、開閉扉３０を押し込んだ際に上方部３２が当接する。
【実施例４】
【００３９】
図６には、実施例４の開閉扉の図面を示す。図６（Ａ）は開閉扉の側面図であり、図６（Ｂ）は同正面図である。図６（Ｃ）は開閉扉の硬質部材の正面図であり、図６（Ｄ）は同側面図を示す。
開閉扉４０は、コイン返却口の方形開口を塞ぐために方形板状になっており、実施例１と大きさは略同じ大きさで縦横幅とも略36ｍｍほどである。開閉扉４０の上辺には鋼線等の素材による水平軸８ｃを貫通させる管部４１を設けている。
【００４０】
開口扉４０は略正方形状であり、上辺側に管部４１を有し、該管部４１には鋼線製の水平軸８ｃが軸着されている。そして略正方形状の略上側半分は厚み２ｍｍほどの方形の上方部４２となっている。
略正方形状の略下側半分は、下方部４３となっており、上方部４２の下端には厚みが１ｍｍほどで上方部の厚み方向の中央位置から略正方形状の下側部分を構成し板薄に連接されている。下方部４３は上方部４２の下端の左右両端から２ｍｍほど内側に設けられている。そして、下方部４３には左右中央寄りにそれぞれ、幅２ｍｍで縦方向にスリット４３ａが設けてある。そして略正方形状の略下端は、長さが開閉扉４０の横幅で、径が3ｍｍほどの下端軸４４が設けられ、前記下方部４３が、該下端軸４４の上側に連接されている。
上記管部４１、上方部４２、下方部４３、下端軸４４は、ポリエチレン樹脂等の硬質樹脂を型に入れて一体で射出成形される。
【００４１】
次に、下方部４３の周囲に上方部の幅及び厚みに合わせて、エラストマー樹脂等の弾性樹脂を一体成形して合体させて袴部４５とし、開口扉４０を得る。袴部４５は図６（Ａ）及び図6（Ｂ）の斜線部で示し、下方部４３を表裏、左右側面から覆うとともに、スリット部４３ａに入り込み、下方部４３と合体している。
これにより、開閉扉４０の下側は下方部４３が下端軸４４に連なり、下方部４３を軟質樹脂の袴部４５が覆っているので、開閉扉４０の下方は柔らかく変化することが可能である。しかしながら下端軸４４は下方部４３で連接されているので、頑強であり、貯留箱内に押し込まれても容易に下端軸４４が折れ曲がり、保留箱の奥壁との間に挟まったりしてもとの状態に戻らないようなことはなく、常に下端軸４４には下方部４３が連接されているので、元の状態への復元力が強いのである。
【００４２】
これにより、開閉扉４０の開閉動作時に方形開口の奥側に手で押し込んで、手を抜く際に、万一、方形開口８ａの下縁と開閉扉４０の下端軸４４との間に指を挟んでも袴部４５の材質が弾性素材であり、下端軸４４を垂下している下方部４３の素材が硬質樹脂であっても、袴部の材質の大半であるので、弾性部材である袴部４５が前後に容易に変形することができる。さらに下端軸４４が丸みを有しており、指を挟んでも指を切るような怪我することなく抜き去ることができる。
この際に開閉扉４０を押し込み過ぎて保留箱の背面に下端軸４４が当接し変形して手を抜いても元に戻らなくならないように、開閉扉４０の押し込み過ぎを防止する図示しないストッパーが保留箱内に設けてあり、開閉扉４０を押し込んだ際に上方部４２が当接する。
【００４３】
尚実施例４では、下方部材は肉薄の薄板状の部材にスリットを入れたが、幅やスリットの本数には限定されなない。下方部４３は、上方部４２と下端軸を連接するもので、かつ、袴部を一体成形して剥がれない構造であれば、形状は問わない。
【００４４】
上述した３つの実施例による開閉蓋を有するコイン返却装置とすることで、大人の手ではさほど問題はないが、子供の手では開閉扉の下辺とコイン取出口の下縁との間に指を挟んでしまう危険を回避することができる。特に乳幼児等の柔らかい指でも、開閉扉の下方部が変形することで、指が挟まれても安全に抜くことができる。
しかも、コストアップを最小限とすることができ、利用価値が高く安全性に富むコイン返却口となっている。
【００４５】
上述の通り本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００４６】
【図１】貨幣装置の一例としてコイン装置の斜視図である。
【図２】コイン返却口の概略図である。
【図３】実施例１の開閉扉の図面である。
【図４】実施例２の開閉扉の図面である。
【図５】実施例３の開閉扉の図面である。
【図６】実施例４の開閉扉の図面である。
【符号の説明】
【００４７】
１  コイン装置
２  取付板
３  コイン投入装置
４  返却操作部
５  コイン導入路
６  コインセレクタ
７  コインスイッチ
８ コイン返却口
８ａ方形開口
８ｂ水平軸受け
８ｃ水平軸
９ 保留箱
９ａ底面
１０ 開閉扉
１１  管部
１２  上方部
１２ａ接合面
１２ｂピン
１３  下方部
１３ａ穴
２０  開閉扉
２１  管部
２２  上方部
２２ａ接合端
２３  下方部
２３ａ接合溝
３０  開閉扉
３１  管部
３２  上方部
３３  下方部
３３ａ下縁
４０  開閉扉
４１  管部
４２  上方部
４３  下方部
４４  下端軸
４５  袴部
【図１】
2007206905.tif 000003
【図２】
2007206905.tif 000004
【図３】
2007206905.tif 000005
【図４】
2007206905.tif 000006
【図５】
2007206905.tif 000007
【図６】
2007206905.tif 000008